(57)【特許請求の範囲】
【請求項１】
デジタルまたはアナログのいずれかの形式に係る映像信号を出力する出力装置が接続されるインターフェースを備える接続回路であって、
前記インターフェースは、前記映像信号がデジタル形式とアナログ形式のいずれの形式にも対応可能なＤＶＩ−Ｉインターフェースであり、
前記出力装置からの送信要求に応じて、前記出力装置に対して前記接続回路に対して出力する前記映像信号の形式をデジタル形式かアナログ形式のいずれかに指定する仕様情報を通知する通知手段と、
前記出力装置が出力した映像信号の信号形式が、前記仕様情報に示す映像信号の形式と合致するか否かを判定する判定手段と、
前記出力装置が出力した映像信号の信号形式と前記仕様情報において指定した前記映像信号の形式が合致しないとき、前記仕様情報の一部であって前記信号形式に係る部分の情報のみを、前記映像信号の形式に合致するように書き換える仕様情報書換手段と、
前記仕様情報書換手段が前記書き換えた仕様情報を前記出力装置に通知するために、前記送信装置に対して再度の送信要求を当該接続回路に通知するように、前記出力装置に対して前記送信要求のきっかけとなる信号を通知する再通知手段と、
を有することを特徴とする接続回路。
【請求項２】
出力装置が接続される第１インターフェースと、表示装置が接続される第２インターフェースと、を有し、前記第１インターフェースと前記第２インターフェースを接続する接続装置であって、
前記第１インターフェースは、請求項１記載の接続回路を備える、
ことを特徴とする接続装置。
【請求項３】
出力装置を接続する単数または複数の第１インターフェースと、表示装置を接続する単数または複数の第２インターフェースと、前記第１インターフェースと前記第２インターフェースをそれぞれ任意に接続し、前記第１インターフェースと前記第２インターフェースのそれぞれの接続を任意に切り換える接続切り換え手段と、を有する接続切り換え装置であって、
前記第１インターフェースはそれぞれ、請求項１記載の接続回路を備える、
ことを特徴とする接続切り換え装置。
【発明の詳細な説明】
【技術分野】
【０００１】
本発明は、映像信号に基づいて画像を表示する表示装置と当該映像信号の出力装置とを標準規格に基づいて接続する接続回路、および、同回路を搭載した接続切り換え装置に関するものである。
【背景技術】
【０００２】
パーソナルコンピュータなどの出力装置と液晶ディスプレイなどの表示装置の接続方式には、多数の標準規格が知られている。これら標準規格には、出力装置が接続された表示装置に係る画像表示仕様に関する情報（以下、「仕様情報」という。）を自動的に取得して、この仕様情報に基づいて出力装置の動作環境を自動設定できるものがある。このような自動設定機能は、プラグアンドプレイ機能と呼ばれる。
【０００３】
プラグアンドプレイ機能によれば、出力装置と表示装置とを接続して電源を投入すると、出力装置からのトリガー（読み出し要求）によって表示装置から出力装置に対する仕様情報が読み出されて通知される。出力装置は、通知された仕様情報に基づいて動作することで、表示装置において表示可能な形式を用いて映像信号の出力に関わる設定を自動的に行うことができる。
【０００４】
プラグアンドプレイ機能の実行に用いる手順（プロトコル）は、ＶＥＳＡ（Ｖｉｄｅｏ  Ｅｌｅｃｔｒｏｎｉｃ  Ｓｔａｎｄａｒｄｓ  Ａｓｓｏｃｉａｔｉｏｎ）において標準規格化されたＤＤＣ（Ｄｉｓｐｌａｙ  Ｄａｔａ  Ｃｈａｎｎｅｌ）方式によるものである。
【０００５】
ＤＤＣ方式に基づいて表示装置から出力装置に通知される仕様情報を「ＥＤＩＤデータ」という。ＥＤＩＤデータを表示装置から出力装置に通知する一連の通信処理を「ＥＤＩＤ通信」という。ＥＤＩＤ通信が正常であれば、表示装置から出力装置へ通知されたＥＤＩＤデータに基づいて、出力装置は表示装置が正常に画像を表示できる映像信号を出力する。すなわち、正常にＥＤＩＤ通信が実行されれば、出力装置の動作環境は、表示装置が正常に画像を表示できる映像信号を出力する状態に自動設定される。
【０００６】
しかし、何らかの原因で表示装置の仕様と出力装置からの映像信号の仕様が合致しないことがある。この場合、ＥＤＩＤ通信が正常に行われても表示装置において正常な画像表示にならない場合がある。
【０００７】
そこで、表示装置における画像表示が正常に行えないときに、仕様情報を別のものに選択的に切り換えて、表示装置側の仕様情報を変更する表示装置が知られている（例えば、特許文献１を参照）。
【先行技術文献】
【特許文献】
【０００８】
【特許文献１】特開２００１−１７５２３０号公報
【０００９】
また、複数の出力装置と複数または単数の表示装置とを接続して、各出力装置と各表示装置の接続状態を任意に切り換える接続切り換え装置が知られている。このような接続切り換え装置は、一般的に「スイッチャー」と呼ばれている。
【００１０】
スイッチャーは、出力装置が接続されるインターフェース（入力インターフェース）を複数備える。各入力インターフェースは、表示装置のＥＤＩＤデータを記憶する記憶手段を備える。スイッチャーに接続された出力装置には、入力インターフェースから表示装置のＥＤＩＤデータが通知される。
【発明の概要】
【発明が解決しようとする課題】
【００１１】
表示装置側の仕様と出力装置からの映像信号の仕様が合致しないとき、また、ＥＤＩＤ通信が正常に実行されなかったときは、表示装置における画像表示は正常に行われないことがある。
【００１２】
スイッチャーを用いて出力装置と表示装置を接続する場合も上記の課題は同様に生じる。すなわち、出力装置を誤った入力インターフェースに接続すると、画像表示が正常になされない場合がある。この場合、スイッチャーを操作して、当該入力インターフェースに設定されているＥＤＩＤデータを変更するか、当該出力装置からの映像信号に対応可能な表示装置に接続をしなおせばよい。いずれにせよ、これら「つなぎ直し作業」を行う必要がある。このような「つなぎ直し作業」は、接続ケーブルを一旦取り外してから再度接続し直すなどの作業が必要になり、煩雑である。
【００１３】
また、接続切り換え装置を使用するような場合は、出力装置と表示装置がそれぞれ物理的に離れた場所に設置されていることが多い。このような場合、画像表示が正常であることを確認するには、表示装置が見えるところに移動しなければならない。仮に、表示が正常でなければ、その後、接続切り換え装置に戻って、ケーブルをつなぎ換える等の作業を行うことになる。
【００１４】
以上のとおり、プラグインプレイ機能は便利であるが、異常な処理状態になったときは、人手によってケーブルをつなぎ直すか設定を変更するなどの作業を必要とし煩雑な作業を強いられる側面がある。
【００１５】
本発明は、上記の課題を鑑みたものであって、出力装置が接続されるインターフェースに関連付けられているＥＤＩＤデータを、出力装置が対応可能な仕様に合うよう自動的に書き換えて、物理的なコネクタの挿抜をすることなく適切な映像信号を得る接続回路を提供することを目的とする。
【課題を解決するための手段】
【００１６】
本発明は、デジタルまたはアナログのいずれかの形式に係る映像信号を出力する出力装置が接続されるインターフェースを備える接続回路であって、前記インターフェースは、前記映像信号がデジタル形式とアナログ形式のいずれの形式にも対応可能なＤＶＩ−Ｉインターフェースであり、前記出力装置からの送信要求に応じて、前記出力装置に対して前記接続回路に対して出力する前記映像信号の形式をデジタル形式かアナログ形式のいずれかに指定する仕様情報を通知する通知手段と、前記出力装置が出力した映像信号の信号形式が、前記仕様情報に示す映像信号の形式と合致するか否かを判定する判定手段と、前記出力装置が出力した映像信号の信号形式と前記仕様情報において指定した前記映像信号の形式が合致しないとき、前記仕様情報の一部であって前記信号形式に係る部分の情報のみを、前記映像信号の形式に合致するように書き換える仕様情報書換手段と、前記仕様情報書換手段が前記書き換えた仕様情報を前記出力装置に通知するために、前記送信装置に対して再度の送信要求を当該接続回路に通知するように、前記出力装置に対して前記送信要求のきっかけとなる信号を通知する再通知手段と、を有することを最も主な特徴とする。
【発明の効果】
【００１７】
本発明によれば、出力装置が接続されるインターフェースに関連付けられているＥＤＩＤデータを、出力装置が対応可能な仕様に合うよう自動的に書き換えて、物理的なコネクタの挿抜をすることなく適切な映像信号を得ることができる。
【図面の簡単な説明】
【００１８】
【図１】本発明に係る接続回路の例を示す構成図である。
【図２】上記接続回路の動作の流れの例を示すシーケンスチャートである。
【図３】本発明に係る接続切り換え装置の例を示す構成図である。
【図４】上記接続切り換え装置の動作の流れの例を示すシーケンスチャートである。
【図５】本発明に係る接続装置の例を示す構成図である。
【発明を実施するための形態】
【００１９】
●接続回路の実施形態
以下、本発明に係る接続回路の実施形態について説明する。図１は、本実施形態に係るＤＤＣ回路１の基本的な構成の例を示す図である。ＤＤＣ回路１は、図示しない表示装置に搭載される他に、後述するように接続切り換え装置のインターフェースにも搭載される。
【００２０】
図１に示すように、ＤＤＣ回路１は、ＥＤＩＤ部１１と、制御部１３と、コネクタ１４と、を有してなる。ＤＤＣ回路１は、映像信号を出力する出力装置に対応し、当該出力装置がケーブルを介して接続されるインターフェースを備える。
【００２１】
コネクタ１４は、出力装置が接続される接続端子である。コネクタ１４は、標準化された規格に基づくものである。例えば、コネクタ１４は、ＤＶＩ−Ｉインターフェース規格に基づく接続端子である。ＤＶＩ−Ｉインターフェースは、映像信号がデジタル仕様およびアナログ仕様のいずれにも対応可能なインターフェースである。コネクタ１４には、ケーブルが接続されて、このケーブルを介して、出力装置とＤＤＣ回路１が電気的に接続される。ＤＤＣ回路１は、表示装置（例えば、液晶ディスプレイ）が備える出力装置との接続インターフェースに適用可能なものである。
【００２２】
ＥＤＩＤ部１１と制御部１３は、規格化されたＤＤＣ（Ｄｉｓｐｌａｙ  Ｄａｔａ  Ｃｈａｎｎｅｌ）方式に基づく処理を実行するインターフェースを構成する。ＥＤＩＤ部１１は、出力装置からの送信要求に応じて後述するＥＤＩＤデータを出力装置へ通知する通知手段である。
【００２３】
ＥＤＩＤ部１１は、コネクタ１４を介して出力装置からの給電電圧（＋５ｖ）を制御部１３が検知したときに動作する回路を備える。ＥＤＩＤ部１１は、電圧（＋５ｖ）を検知したとき、ＨＰＤ（Ｈｏｔ  Ｐｌｕｇ  Ｄｅｔｅｃｔ）信号をロー（Ｌ）からハイ（Ｈ）に変化させる。ＨＰＤ信号は、コネクタ１４とケーブルとを介して出力装置に通知される。
【００２４】
ＥＤＩＤ部１１は、書き換え可能な不揮発性記憶手段を備えている。この記憶手段には、ＥＤＩＤデータが記憶される。ＥＤＩＤデータは、仕様情報である。ＥＤＩＤデータは、表示装置（不図示）が表示可能な信号の種類（デジタル／アナログ）、画像の解像度などを含む標準フォーマットに基づくデータ群である。
【００２５】
ＥＤＩＤ部１１は、ＨＰＤ信号に応じて出力装置から通知されるＥＤＩＤコマンドに応じて、仕様情報であるＥＤＩＤデータを出力装置に通知する。
【００２６】
制御部１３は、ＤＤＣ回路１の全体の動作を制御するＣＰＵである。制御部１３は、内部の記憶手段（不図示）に予め記憶されている接続プログラム１３０を実行するハードウェア構成を備える演算処理手段である。制御部１３は、出力装置からの給電（＋５ｖ）される電圧を検知して、ＥＤＩＤ部１１を動作させる。
【００２７】
制御部１３が実行する接続プログラム１３０は、判定モジュール１３１と、データ書換モジュール１３２と、再通知モジュール１３３と、を有してなる。ＥＤＩＤ部１１と制御部１３および接続プログラム１３０によって、判定手段と、仕様情報書換手段と、再通知手段が、構成される。
【００２８】
判定モジュール１３１は、出力装置からの映像信号を検知して、その仕様（形式）を判定する判定処理を実行する。この判定処理は、検知した仕様とＥＤＩＤ部１１に記憶されているＥＤＩＤデータを比較し、映像信号の仕様が「期待する形式」と「一致する」または「一致しない」のいずれであるかを判定する処理である。
【００２９】
データ書換モジュール１３２は、上記の判定処理における判定結果に応じて、データ書換処理を実行する。データ書換処理は、ＥＤＩＤ部１１に記憶されているＥＤＩＤデータの一部を書き換える処理である。書き換えられるＥＤＩＤデータの一部の内容は、判定処理において判定された結果に基づいて決定される。具体的には、ＥＤＩＤ部１１に記憶されているＥＤＩＤデータを、出力装置からの映像信号の仕様に応じて、当該ＥＤＩＤデータに含まれるデータのうち該当する箇所のデータを、映像信号の仕様に合う適値に書き換える。このデータ書換処理によって、後述するように、出力装置からの映像信号の仕様が「期待する形式である」とＤＤＣ回路１が判定する状態になるように、自動的にＤＤＣ回路１の設定が変更される。データ書換処理は、書き換えたＥＤＩＤデータをＥＤＩＤ部１１へ記憶し直す処理も含む。
【００３０】
再通知モジュール１３３は、データ書換処理が実行されたときに、出力装置に対してＥＤＩＤデータの再通知要求を促す処理を実行する。言い換えると、再通知モジュール１３３において実行される再通知処理は、出力装置におけるＥＤＩＤデータの通知要求を再度実行させる処理である。具体的には、再通知モジュール１３３によってＥＤＩＤ部１１が制御されて、ＨＰＤ信号を「Ｌ」から「Ｈ」にする。このときのＨＰＤ信号は、再通知されるＨＰＤ信号（再ＨＰＤ信号）である。この再ＨＰＤ信号によって、出力装置は再度のＥＤＩＤ要求コマンドをＤＤＣ回路１へ通知する。このＥＤＩＤ要求コマンドに基づいてＤＤＣ回路１から新しいＥＤＩＤデータが出力装置に通知される。
【００３１】
ＤＤＣ回路１は、以上説明した構成を備える回路である。このＤＤＣ回路１によれば、表示装置において映像信号が正常に表示されないときでも、ケーブルのつなぎ換えなどの作業をすることなく、自動的に、出力装置の仕様に合わせて表示装置側の環境を切り換えることができる。
【００３２】
●接続回路の動作
次に、本実施形態に係るＤＤＣ回路１の動作の流れについて、図２のシーケンスチャートを用いて説明する。図２において各ステップをＳ１、Ｓ２、Ｓ３、・・・のように表記する。
【００３３】
図２に示すように、まず、出力装置であるＰＣ２とＤＤＣ回路１をケーブルで接続する（Ｓ１）。ケーブルが接続されると、ＰＣ２からＤＤＣ回路１へ＋５Ｖの電圧が供給される（Ｓ２）。制御部１３が供給された＋５Ｖを検知してＥＤＩＤ部１１を動作させ、ＨＰＤ信号を「Ｌ」から「Ｈ」へ変化させる（Ｓ３）。
【００３４】
ＨＰＤ信号は、ケーブルを介してＰＣ２へと通知される。ＰＣ２は、ＨＰＤ信号が「Ｈ」へ変化したことを検知すると、ＤＤＣ回路１に対してＥＤＩＤ要求コマンドを通知する（Ｓ４）。ＰＣ２からのＥＤＩＤ要求コマンドに応じて、ＥＤＩＤデータはＤＤＣ回路１からＰＣ２へ通知される（Ｓ６）。
【００３５】
ＰＣ２は、通知されたＥＤＩＤデータに応じて動作環境を設定し、設定した動作環境に応じた映像信号を出力する。映像信号は、表示装置であるディスプレイ３へ送られる。ディスプレイ３は、映像信号に基づく画像を表示する。
【００３６】
ＰＣ２からの映像信号に対して、この映像信号に係る仕様を判定する判定処理が実行される（Ｓ７）。判定処理は、判定モジュール１３１によって映像信号に係る仕様を示す情報とＥＤＩＤ部１１に記憶されているＥＤＩＤデータとを比較し、映像信号の仕様が期待する形式であるか否かについて判定する処理である。判定処理において、「期待する形式と一致」と判定されたとき（Ｓ７のＹｅｓ）、映像信号の出力はそのまま継続される。
【００３７】
判定処理において「期待する形式と不一致」と判定されたとき（Ｓ７のＮｏ）、制御部１３がＥＤＩＤ部１１に記憶されているＥＤＩＤデータの一部を書き換えるデータ書換処理（Ｓ８）を実行する。データ書換処理（Ｓ８）は、判定処理（Ｓ７）において判定された映像信号の形式に応じて、ＥＤＩＤデータの該当する一部を書き換える処理である。データ書換処理（Ｓ８）によって書き換えられたＥＤＩＤデータは、ＥＤＩＤ部１１が備える記憶手段に記憶される。
【００３８】
データ書換処理（Ｓ８）が実行された後、再通知処理（Ｓ９）が実行される。再通知処理（Ｓ９）によって、制御部１３がＥＤＩＤ部１１の動作を制御し、ＨＰＤ信号を「Ｌ」から「Ｈ」に変化させる。すなわち、再通知処理（Ｓ９）によって、ＥＤＩＤ部１１からＰＣ２に対して、再度、ＨＰＤ信号「Ｈ」が通知される。すでに説明したとおり、一般にはＰＣ２は、ＨＰＤ信号「Ｈ」への変化を検知すると、ＥＤＩＤ要求コマンドをＤＤＣ回路１に通知する。
【００３９】
ＰＣ２からの再度のＥＤＩＤ要求コマンドの通知に応じて、再度、ＤＤＣ回路１からＰＣ２へＥＤＩＤデータが通知される。ここで通知されるＥＤＩＤデータは、データ書換処理（Ｓ８）において、映像信号に合致するように書き換えられたＥＤＩＤデータである。ＰＣ２は、再通知されたＥＤＩＤデータに基づいて映像信号を出力する。
【００４０】
以上のとおり、ＤＤＣ回路１は、ＥＤＩＤ通信を実行した後においてＰＣ２から出力される映像信号の仕様が期待する形式と合致しているか否かについて判定する。判定の結果が、「期待する形式ではない」ことを示すものであれば、出力装置が出力する映像信号の形式に合致するようにＥＤＩＤデータの該当箇所を書き換えて記憶しなおす。その後、ＤＤＣ回路１はＰＣ２に対して再度、ＥＤＩＤ通信の実行を促す。
【００４１】
以上の一連の動作において、ＤＤＣ回路１は、コネクタ１４とケーブルの物理的な接続をし直すことなく（挿抜することなく）出力装置からの映像信号に基づく最適な表示環境を提供することができる。
【００４２】
次に、本発明に係る接続切り換え装置に関する実施形態について説明する。図３は、本実施形態に係るスイッチャー１００の例を示す構成図である。
【００４３】
●接続切り換え装置の実施形態
図３に示すように、スイッチャー１００は、入力インターフェース１０１と、出力インターフェース１０２と、マトリックススイッチ１０３と、を有してなる。
【００４４】
入力インターフェース１０１は、出力装置であるＰＣ２を接続する第１インターフェースであって、ＤＤＣ回路１を有する。スイッチャー１００の筐体（不図示）には、接続端子であるコネクタ１４が設置される。
【００４５】
出力インターフェース１０２は、表示装置であるディスプレイ３を接続する第２インターフェースであって、スイッチャー１００の筐体側面に設置される所定の形式の接続端子を有する。スイッチャー１００は、出力インターフェース１０２を、単数または複数備える。
【００４６】
マトリックススイッチ１０３は、入力インターフェース１０１と出力インターフェース１０２との接続を任意に切り換えるスイッチ群を有してなる。
【００４７】
また、スイッチャー１００は、操作手段（不図示）を有する。操作手段は、これが操作されることで、マトリックススイッチ１０３への設定が行なわれ、入力インターフェース１０１と出力インターフェース１０２が接続される。すなわち、マトリックススイッチ１０３は、入力インターフェース１０１と出力インターフェース１０２の接続を任意に変更することができる。入力インターフェース１０１と出力インターフェース１０２を１対１で接続することもできるし、入力インターフェース１０１と出力インターフェース１０２を１対多で接続することもできる。
【００４８】
入力インターフェース１０１が備えるＤＤＣ回路１において、ＥＤＩＤ部１１に記憶されるＥＤＩＤデータは、操作手段の操作によって手動で設定される。入力インターフェース１０１が備えるＤＤＣ回路１において、マトリックススイッチ１０３によって接続されている出力インターフェース１０２に接続されているディスプレイ３が有するＥＤＩＤデータをコピーして設定することもできる。
【００４９】
●接続切り換え装置の動作
次に、本実施形態に係るスイッチャー１００の動作の流れについて、図４のシーケンスチャートを用いて説明する。図４において各ステップをＳ１１、Ｓ１２、Ｓ１３、・・・のように表記する。
【００５０】
図４に示すように、まず、表示装置であるディスプレイ３とスイッチャー１００の出力インターフェース１０２を接続する（Ｓ１１）。次いで、操作手段を操作してマトリックススイッチ１０３の設定をする（Ｓ１２）。マトリックススイッチ１０３の設定によって、任意の入力インターフェース１０１と出力インターフェース１０２が接続された状態になる。
【００５１】
続いて、出力インターフェース１０２に接続されているディスプレイ３からＥＤＩＤデータがコピーされる（Ｓ１３）。コピーされたＥＤＩＤデータは、ＥＤＩＤ部１１の記憶手段に記憶される
【００５２】
なお、ケーブルの接続（Ｓ１１）と接続設定（Ｓ１２）の順序は、上記の限りではない。接続設定（Ｓ１２）を先に行ってからケーブル接続（Ｓ１１）を行ってもよい。
【００５３】
次いで、出力装置であるＰＣ２とスイッチャー１００の入力インターフェース１０１を接続する（Ｓ１４）と、ＰＣ２から入力インターフェース１０１が備えるＤＤＣ回路１へ＋５Ｖの電圧が給電される（Ｓ１５）。
【００５４】
入力インターフェース１０１が備える制御部１３が供給された＋５Ｖの電圧を検知すると、制御部１３がＥＤＩＤ部１１を動作させる。これによってＥＤＩＤ部１１は、ＨＰＤ信号を「Ｌ」から「Ｈ」へ変化させる（Ｓ１６）。
【００５５】
ＨＰＤ信号は、ケーブルを介してＰＣ２へと通知される。ＰＣ２は、ＨＰＤ信号が「Ｈ」へ変化したことに応じて、ＥＤＩＤ要求コマンドをＤＤＣ回路１に通知する（Ｓ１７）。このＥＤＩＤ要求コマンドに応じてＤＤＣ回路１のＥＤＩＤ部１１からＥＤＩＤデータが読み出されて（Ｓ１８）、ＰＣ２へ通知される（Ｓ１９）。
【００５６】
ＰＣ２は、通知されたＥＤＩＤデータに応じて動作環境を設定し、設定した動作環境に応じた映像信号を出力する。この映像信号は、ディスプレイ３において画像として表示される。
【００５７】
映像信号がディスプレイ３へ出力されるとともに、入力インターフェース１０１が備える判定モジュール１３１は、判定処理が実行する（Ｓ２０）。判定処理は、映像信号の仕様がＥＤＩＤデータと一致するか否かについて判定する。判定処理において、「期待する形式と一致」と判定されれば（Ｓ２０のＹｅｓ）、映像信号の出力はそのまま継続される。
【００５８】
判定処理において「期待される形式と不一致」と判定されたときは（Ｓ２０のＮｏ）、制御部１３がＥＤＩＤ部１１に記憶されているＥＤＩＤデータの一部を書き換えるデータ書換処理（Ｓ２１）を実行する。データ書換処理（Ｓ２１）は、判定処理（Ｓ２０）において判定された映像信号の形式に応じて、ＥＤＩＤデータの該当する一部を書き換える処理である。データ書換処理（Ｓ２１）によって書き換えたＥＤＩＤデータは、入力インターフェース１０１が備えるＥＤＩＤ部１１に記憶される。
【００５９】
データ書換処理（Ｓ２１）が実行された後、再通知処理（Ｓ２２）が実行される。再通知処理（Ｓ２２）によって、制御部１３は、再度、ＨＰＤ信号を「Ｌ」から「Ｈ」に変化させて、ＰＣ２に対する再度のＨＰＤ信号「Ｈ」を通知する。すでに説明したとおり、ＰＣ２は、ＨＰＤ信号「Ｈ」を検知すると、ＥＤＩＤ要求コマンドをＤＤＣ回路１に通知する。
【００６０】
ＰＣ２から再度のＥＤＩＤ要求コマンドの通知に応じて、再度、スイッチャー１００からＰＣ２へＥＤＩＤデータが通知される（Ｓ２２）。なお、再通知されるＥＤＩＤデータは、データ書換処理（Ｓ２１）において、映像信号に合致するように書き換えられたＥＤＩＤデータである。
【００６１】
ＰＣ２は、再通知されたＥＤＩＤデータに基づいて映像信号を出力する。したがって、ＤＤＣ回路１は、ＰＣ２からの映像信号に合致するようにＥＤＩＤデータを適宜変更してから、ＥＤＩＤデータを再通知する。
【００６２】
以上のとおり、ＤＤＣ回路１がＥＤＩＤ通信を実行した後、ＰＣ２からの映像信号に基づいて正常な画像を表示可能か否かについて判定する。判定の結果が「正常な表示は不能」であることを示すものであれば、出力装置が出力する映像信号の形式に合致するようにＥＤＩＤデータの該当箇所を書き換えて記憶しなおす。その後、再度、ＥＤＩＤ通信を実行する。
【００６３】
以上の一連の動作によって、スイッチャー１００は、ＰＣ２との物理的な接続をし直すことなく（ケーブルをコネクタ１４から挿抜することなく）、ＰＣ２からの映像信号に基づく最適な表示状況を得ることができる。
【００６４】
また、スイッチャー１００において、複数のディスプレイ３の仕様情報を予めコピーしておいてもよい。この場合、スイッチャー１００におけるＰＣ２からの映像信号の形式の判定結果に基づいて、自動的に、映像信号の形式と合う仕様を備える他のディスプレイ３に接続を切り換えるようにしてもよい。
【００６５】
●接続装置の実施形態
次に、本発明に係る接続装置に関する実施形態について説明する。図５は、本実施形態に係る信号延長器２００の例を示す構成図である。
【００６６】
図５に示すように、信号延長器２００は、入力インターフェース１０１と、出力インターフェース１０２と、信号延長回路２０３と、を有してなる。
【００６７】
入力インターフェース１０１と出力インターフェース１０２は、すでに説明しているものと同様であるから、詳細な説明を省略する。
【００６８】
信号延長回路２０３は、入力インターフェース１０１に接続されるＰＣ２から出力された映像信号を増幅・補正をして、出力インターフェース１０２に接続されるディスプレイ３へ出力する回路である。
【００６９】
ＰＣ２から出力される映像信号は、ケーブル等によって減衰する。したがって、ケーブル長が長くなると、映像信号が崩れてしまい、ディスプレイ３において正常な画像表示が保障されなくなる。このような場合において、信号延長器２００を用いる。信号延長器２００は、映像信号を補正して正常な映像信号を出力するので、ＰＣ２とディスプレイ３の接続ケーブル長が長くても、正常な画像表示を行える状況にできる。
【００７０】
なお、本発明に係る接続装置は、上記の実施形態に限られるものではなく、映像信号の形式変換機能を備えるスキャンコンバータ等の信号変換器において、入力側のインターフェースに本発明に係るＤＤＣ回路を搭載したものでもよい。
【符号の説明】
【００７１】
１      ＤＤＣ回路
１１    ＥＤＩＤ部
１３    制御部
１４    コネクタ
１００  スイッチャー
１０１  入力インターフェース
１０２  出力インターフェース
１０３  マトリックススイッチ
【要約】
【課題】  出力装置が接続されるインターフェースに関連付けられているＥＤＩＤデータを、出力装置が対応可能な仕様に合うよう自動的に書き換えて、接続をし直す接続回路を提供する。
【解決手段】  出力装置からの送信要求に応じて、映像信号の仕様を設定する仕様情報を通知する通知手段と、映像信号の仕様が、送信された仕様情報において示されるものであるか否かを判定する判定手段と、判定結果に応じて、仕様情報の一部を映像信号に応じて書き換える仕様情報書換手段と、仕様情報が書き換えられたとき、出力装置から再度の送信要求を通知させる再通知手段と、を有する接続回路による。
【選択図】図１【図１】
0005775958.tif 000002
【図２】
0005775958.tif 000003
【図３】
0005775958.tif 000004
【図４】
0005775958.tif 000005
【図５】
0005775958.tif 000006